(57)【要約】【課題】  本発明はパズルを提供する。【解決手段】  このパズルは、横列および縦列に配列された要素（１３６、１３８、１４０、１４２）を有しており、各要素は、第１および第２の直交する軸線（Ｘ、Ｙ）のまわりに回転可能である。各要素の第１および第２の軸線は、すべての他の要素の夫々の第１および第２の軸線と平行であって、同一平面上にある。ケース（１１２）が、各要素の非回転動を拘束し、いずれか１つの横列における要素のうちのいずれか１つがその第１の軸線のまわりに回転されると、リンケージ（１５４）が、前記横列におけるすべての他の要素をそれらの夫々の第１の軸線のまわりに回転させる。このリンケージは、いずれか１つの縦列における要素のうちのいずれか１つがその第１の軸線のまわりに回転されると、前記縦列におけるすべての要素をそれらの夫々の第１の軸線のまわりに回転させる。
2006514556.tif 000002
【特許請求の範囲】
【請求項１】
少なくとも１つの要素横列および少なくとも１つの要素縦列を規定するように配列されている複数の要素であって、これらの複数の要素の各々が、第１の軸線および第２の軸線のまわりに回転可能であり、これら複数の要素の各々の第１の軸線が、複数の要素のすべての他の要素の第１の軸線と平行であり、複数の要素の各々の第２の軸線が、複数の要素のすべての他の要素の第２の軸線と平行である、複数の要素と、
前記複数の要素の各々の非回転動を拘束するケースと、
前記要素の少なくとも１つの横列における複数の要素のうちのいずれか１つが、これの第１の軸線のまわりに回転されると、要素の少なくとも１つの横列におけるすべての要素をこれらの夫々の第１の軸線のまわりに回転させ、要素の少なくとも１つの縦列における複数の要素のうちのいずれか１つが、その第２の軸線のまわりに回転されると、要素の少なくとも１つの縦列におけるすべての要素をそれらの夫々の第２の軸線のまわりに回転させるリンケージ構造体と、を具備しているパズル。
【請求項２】
前記複数の要素の各々は、複数の面を備えており、これらの複数の面の各々は、複数の要素のうちの前記１つにおける複数の面のうちの他の面と異なっている色または模様のものである、請求項１に記載のパズル。
【請求項３】
前記複数の要素の各々は、外面を有する球体よりなる、請求項１に記載のパズル。
【請求項４】
前記球体は、これの外面に位置決めされた第１列の同一平面上の穴を有している、請求項２に記載のパズル。
【請求項５】
前記リンケージ構造体は、列状の歯を有する少なくとも１つの横列の歯車を備えており、各横列の歯車は、少なくとも１つの要素横列のうちの２つの隣接要素間に位置決めされており、横列歯車の列状の歯は、前記少なくとも１つの要素横列のうちの２つの隣接要素両方の第１の列の同一平面上の穴に係合している、請求項４に記載のパズル。
【請求項６】
前記リンケージ構造体は、列状の歯を有する少なくとも１つの縦列の歯車を備えており、各縦列の歯車は、少なくとも１つの要素縦列のうちの２つの隣接要素間に位置決めされており、縦列歯車の列状の歯は、前記少なくとも１つの要素縦列のうちの２つの隣接要素両方の第１の列の同一平面上の穴に係合している、請求項５に記載のパズル。
【請求項７】
前記少なくとも１つの横列の歯車は、これらが回転する中心となる軸を有しており、前記少なくとも１つの縦列の歯車は、これらが回転する中心となる軸を有している、請求項６に記載のパズル。
【請求項８】
前記少なくとも１つの横列の歯車および前記少なくとも１つの縦列の歯車の非回転動は、ケースにより拘束されており、前記少なくとも１つの横列の歯車の回転動は、単一の回転軸線に制限されており、前記少なくとも１つの縦列の歯車の回転動は、単一の回転軸線に制限されており、前記少なくとも１つの横列の歯車各々の回転軸線は、前記少なくとも１つの縦列の歯車各々の回転軸線と直交している、請求項６に記載のパズル。
【請求項９】
前記少なくとも１つの横列の歯車各々の回転軸線は、前記少なくとも１つの縦列の歯車各々の回転軸線と同一平面上にある、請求項８に記載のパズル。
【請求項１０】
前記球体は、更に、第２の列状の同一平面上の穴および第３の列状の同一平面上の穴を備えており、前記第１の列状の同一平面上の穴は、前記第２の列状の同一平面上の穴および前記第３の列状の同一平面上の穴と直交しており、前記第２の列状の同一平面上の穴は、前記第１の列状の同一平面上の穴および前記第３の列状の同一平面上の穴と直交している、請求項４に記載のパズル。
【請求項１１】
前記ケースは、頂および底半体と、各球体が突出して通る１対の対向した頂および底開口部とを有している、請求項１に記載のパズル。
【請求項１２】
各球体は前記ケースの外側から目で見え、前記ケースの外側から操作されることができる、請求項１１に記載のパズル。
【請求項１３】
前記複数の要素各々の第１の軸線は、前記複数の要素のうちのすべての他の要素の第１の軸線と同一平面上にあり、前記複数の要素各々の第２の軸線は、前記複数の要素のうちのすべての他の要素の第２の軸線と同一平面上にある、請求項１に記載のパズル。
【請求項１４】
前記複数の要素各々の複数の面は、６つの面よりなる、請求項２に記載のパズル。
【請求項１５】
Ｘ横列およびＹ縦列（ＸおよびＹは正の整数である）に配列されていて、数がＹのＸ倍である複数の球体であって、それらの各々が、
各々が、すべての他のものと異なる色または模様を持っている複数の面を有している外面と、
第１の回転軸線、およびこの第１の回転軸線と直交している第２の回転軸線とを有している複数の球体と、
頂半体と、ＹのＸ倍の頂開口部とを有しているケースであって、前記複数の球体各々の外面の一部が、前記ケースの外側から目で見え、前記複数の球体の各々が、ケースの外側から操作されることができるように、前記複数の球体の各々が突出して通っているケースと、
各横列における球体の各々の間に機械的結合をもたらす少なくとも１つの横列の歯車であって、前記球体のうちのいずれか１つが第１の軸線のまわりに回転されると、前記横列におけるすべての他の球体が、それらの夫々の第１の軸線のまわりに回転されるように、なっている少なくとも１つの横列の歯車と、
少なくとも１つの縦列の歯車と、を具備しており、前記少なくとも１つの縦列の歯車のうちの１つの縦列の歯車は、縦列における前記球体のうちのいずれか１つが第２の軸線のまわりに回転されると、前記縦列におけるすべての他の球体が、それらの夫々の第２の軸線のまわりに回転されるようになっている、パズル。
【請求項１６】
各球体は、６つの面を備えており、各面は、異なる色のものである、請求項１５に記載のパズル。
【請求項１７】
各球体の第１の回転軸線は、前記複数の球体のうちのすべての他の球体の第１の回転軸線と同一平面上にあり、各球体の第２の回転軸線は、前記複数の球体のうちのすべての他の球体の第２の回転軸線と同一平面上にある、請求項１５に記載のパズル。
【請求項１８】
第１、第２、第３および第４の四分体と、前端部および後端部とを有する６つの連動部品を具備しており、
前記第１、第２、第３および第４の四分体の各々は、
面と、
デッキと、
平行であり、間隔を隔てられて、前記デッキから延びていて、そして横方向の穴が各々を通っている１対のブレードと、
前記１対のブレードの外側にあって、各々が渦部まで延びていて、そして横方向の穴が通っている１対のブリッジと、を備えており、
前記前端部および後端部の各々は、
面と、
デッキと、
前記デッキから延びている４つの平行なピンと、を備えており、
前記第１、第２、第３および第４の四分体の各々の１対のブリッジの横方向の穴は、前記第１、第２、第３および第４の四分体の１対のブリッジの横方向の穴と整合して４つの係止チャンネルを規定しており、前記第１、第２、第３および第４の四分体と、前記前端部と、後端部とが組付けされると、前記前端部および後端部の各々の４つのピンのうちの１つが、前記係止チャンネルの中へ延びるようになっている、パズルの要素。
【請求項１９】
前記第１、第２、第３および第４の四分体、前記前端部および後端部の各々の面は、前記第１、第２、第３および第４の四分体と、前記前端部と、後端部とが組付けされると、球状の外面を形成する、請求項１８に記載の要素。
【請求項２０】
前記各四分体の１対のブレードは、前記第１、第２、第３および第４の四分体が組付けされると、他の四分体の対のブレードと嵌り合う、請求項１８に記載の要素。
【発明の詳細な説明】
【技術分野】
【０００１】
本発明は、操作可能なパズルに関する。
【背景技術】
【０００２】
機械的および電気的パズルを含めて、様々なパズルおよびパズル装置が入手可能である。このようなパズルでは、使用者は、所望の結果を達成するために、或いは問題を解決するためにパズルを操作する。周知のルービックキューブは、使用者が、各々が異なって着色された側面を有する小さいキューブで構成されているキューブの部分を回転することが必要とされる、このようなパズルの例である。ルービックキューブの目的は、所望の色模様が生じるようにキューブを操作することであり、最も簡単な色は、キューブの各側面における単一の色である。
【発明の開示】
【発明が解決しようとする課題】
【０００３】
本発明は、この技術分野からの独特で革新的なパズルである。
【課題を解決するための手段】
【０００４】
本発明は、少なくとも１つの横列および少なくとも１つの縦列に並列された要素を有するパズルよりなる。これらの要素の各々は、第１の軸線および第２の軸線のまわりに回転可能である。各要素の第１の軸線は、すべての他の要素の第１の軸線と平行であって、同一平面上にある。同様に、各要素の第２の軸線は、すべての他の要素の第２の軸線と平行であって、同一平面上にある。各要素の第１および第２の軸線は、好ましくは、互いに直交している。また、パズルは、各要素の非回転動を拘束するケースと、任意の１つの横列における要素のいずれか１つがその第１の軸線のまわりに回転されると、その横列におけるすべての他の要素をそれらの夫々の第１の軸線のまわりに回転されるリンケージとを有している。また、このリンケージは、縦列における要素のいずれか１つがその第２の軸線のまわりに回転されると、その縦列におけるすべての要素をそれらの夫々の第２の軸線のまわりに回転される。
【０００５】
本発明の好適な実施の形態の下記の詳細な説明は、添付図面と関連して読むと、良く理解されるであろう。本発明を示す目的で、現在のところ好適である実施の形態が図面に示されている。しかしながら、本発明は、図面にしめされた正確な構成および手段に限定されないことはわかるであろう。
【発明を実施するための最良の形態】
【０００６】
本発明は、様々な構造およびフォーマットで実施されることができるパズルである。本発明の本質は、各々が６つの面の各々に異なる模様または色を有している複数のパズル要素を有するパズルである。各パズル要素は、２つまたは３つの直交軸線で回転されることができるが、好ましくは、非回転動しないように拘束されている。２次元パズルの場合、各パズル要素は、好ましくは、Ｘ軸およびＹ軸を中心に回転可能である。３次元パズルの場合、各パズル要素は、Ｘ軸、Ｙ軸およびＺ軸を中心に回転可能である。また、これらのパズル要素は、特定のパズル要素が回転されると、回転軸線と直交して通っている平面に位置決めされたすべての他のパズル要素が同じ方向に余儀なく回転されるように連結されている。パズルの目的は、単一の色のような所望の模様がパズルの正面に示されるようにパズル要素を操作することである。
【０００７】
本発明によるパズルの原理および作用は、図面および添付の説明を参照して良く理解されるであろう。本発明の理解を助けるために、１つまたはそれ以上の図に関して明細書において参照される参照符号が、明細書における追加の図の特定の言及なしに追加の図に現われる。
【０００８】
図１を参照すると、参照符号１０は、一般に、本発明によるパズルを示している。図１に示されるパズル１０は、任意の好都合な手段によりフレームの一部に各々が取着されている４つのパズル要素３６、３８、４０、４２を有する本発明の２次元の実施の形態である。この実施の形態におけるパズル要素は、球体またはボールとして示されている。本発明の説明を助けるために、これらの要素（または球体）は、ここでは下記の如くすなわち、下方の左側球体３６、上方の左側球体３８、上方の右側球体４０および下方の右側球体４２として見分けられる。球体がパズル１０の最も簡単な操作をもたらすが、例えば、立方体または六面体のような他の形状が、パズル要素３６、３８、４０、４２に代用されることができる。
【０００９】
図２および図３を参照して説明すると、フレーム１３は、２対の平行なバー、すなわち、左側および右側の垂直方向のバー１２、１６と、頂側および底側の水平方向のバー１４、１８とを備えている。これらのバー１２、１４、１６、１８の各々は、単一の軸線に沿っていずれかの方向に摺動されることができる。垂直方向のバー１２、１６は、Ｙ軸に沿って上方または下方に摺動されることができ、水平バー１４、１８は、Ｘ軸に沿って左側または右側に摺動されることができる。図３に示されるように、各バーには、複数の一様に間隔を隔てられたスロットが形成されている。図３に示される垂直方向のバー１２は、細長い水平方向のスロット５２を有しており、水平方向のバー１８は、複数の細長い垂直方向のスロット５４を有している。
【００１０】
図３および図４を参照して説明すると、スロット５２、５４は、球体３６の外面６４から突出している２つの直交列のピン５６、６０との協働で作用する。図４に示されるピン５８、６２の長さは明確のために誇張されている。現に、ピン５８、６２は、スロット５２、５４に係合するのにかろうじて長い。
【００１１】
パズル１０の操作を以下に説明する。図１を再び参照して説明すると、下方の水平方向のバー１８に位置決めされたタブ３２を左側に引くことによって球体３６をＹ軸のまわりに時計方向に回転させる。この動作は、また、下方の右側球体４２をＹ軸のまわりに時計方向に回転させる。下方の左側球体３６の逆の反時計方向の回転は、下方の水平方向のバー１８の右側端部に位置決めされたタブ３４を右側に引くことによって達成される。Ｙ軸のまわりの下方の左側球体３６の回転は、左側の垂直方向のバー１２の下方または上方タブ２０、２２を引くことによって達成される。Ｙ軸におけるかかる回転は、また、上方の左側球体３８を同じ方向に回転させる。
【００１２】
球体３６、３８、４０の移動および種々の構成ならびに本発明の他の実施の形態は、「グループ理論」と呼ばれる種類の数学について説明されることができる。パズル１０のようなパズルの内容では、「グループ」の「要素」は、球体３６、３８、４０、４２の特定の構成として定められる。本発明の目的は、パズル１０を１つの要素から他の要素まで移動させる球体３６、３８、４０、４２の一連の操作、この実施の形態では、回転動を行うことである。２つずつの２次元パズルの内容では、球体がＸ軸のまわりにか、或いはＹ軸のまわりに回転されているかにより、横列および縦列が共に回転するので、パズル１０が球体の２つの横列および２つの縦列の内容で説明される例により、グループ理論の概念を示すことができる。横列１は、上方の左側球体３８および上方の右側球体４０を備えている。横列２は、下方の左側球体３６および下方の右側球体４２に対応している。縦列１は、上方の左側球体３８および下方の左側球体３６に対応している。縦列２は、上方の右側球体４０および下方の右側球体４２に対応している。操作を略記で説明すると、Ｉｒ＝横列１を右方に回転させる；１ｒｒ＝横列１を右方に２回、回転させる；１ｒｒｒ＝横列１を右方に３回、回転させる；１u＝縦列１を上方に回転させる；１uu＝縦列１を上方に２回、回転させる；１uuu＝縦列１を上方に３回、回転させる。任意の横列または任意の縦列を４回、回転させると、変化がない。何故なら、同じ側が再び前方に向いた面となるからである。語「左方」、「右方」、「上方」および「下方」は、バー１２、１４、１６、１８と反対の球体の部分の運動方向に対応する。
【００１３】
パズル１０の操作を更に示すと、球体の各々が、番号付きの面を有するボックスとして図５ないし図８に概略的に示されている。図５では、４つの球体３６、３８、４０、４２すべては、外方に向いている面１を有している。縦列１が下方に一回、回転される操作を行う。この結果、上方の左側および下方の左側の球体３８、４０において、前方に向いた面４が現れる。図６では、球体３６、３８、４０、４２は、第１の例と同じ位置において開始し、操作は、横列１を一回、移動することである。この結果、上方の左側および上方の右側の球体３８，４０において、前方に向いた面５が現れる。図７では、一連の操作を行う。この例では、球体３６、３８、４０、４２は、面１が前方に向いた状態で開始し、下記の操作、すなわち、１ｄ；１ｒｒ；１u；１ｌｌを行なう。これらの操作の後、上方の左側球体３８をひっくり返し、その結果、面３が前方を向き、他の球体３６、４０、４２すべてが未変化のままである。図８では、球体は、他の例においてのべるように開始し、次いで、下記の操作、すなわち、１ｄ；１ｒ；１u、１ｌを行なう。この結果、上方の左側球体３８が、下方および側方に連動され（面４が前方に向き）、他の球体３６、４０、４２すべてが未変化のままである。
【００１４】
以上の説明は、要素ごとに移動するためにパズル１０で行われる操作のたった２、３の例を示している。
【００１５】
図９を参照すると、本発明の他の好適な実施の形態が示されている。この実施の形態は、球体の３つずつの列（３つの横列および３つの縦列）を有するパズル１１０よりなる。このパズル１１０は、パズル１０と同様に２次元であるが、横列または縦列における球体のうちのいずれか１つが回転されると、すべての球体の同時回転を引起すための異なる構造を示しており、並びに頂および底半体１１４、１１６を有する機能的および魅力的なケース１１２を示している。
【００１６】
このパズル１１０は、４つの角球体１３６、１３８、１４０、１４２と、４つの側球体１４４、１４６、１４８、１５０と、１つの中心球体１５２とを有している。これらの球体は、３つの横列および３つの縦列で配列されていて、ケース１１２により適所に保持されている。これらの球体は、それぞれ、頂および底開口部１７８、１８０を通り、ケース１１２の頂および底半体１１４、１１６を通って突出している（図１０参照）。ケース１１２の垂直方向の厚さおよび開口部１１４，１１６の大きさは、球体がケース１１２から追い出されないようにしながら、ケース１１２から突出している各球体の部分を最大化するように設計されている。この実施の形態では、或る球体の、他の球体の回転に応じた回転運動は、球体間に位置決めされていて、ケース１１２内に完全に収容された横列歯車１５４、１５６、１６０、１６２、１６４および縦列歯車１６６、１６８、１７２、１７４、１７６により引起される。例えば、歯車１５４，１５６は、球体１３６、１４２、１５０のうちのいずれか１つが使用者によりＹ軸のまわりに回転されると、これらの３つの球体をＹ軸のまわりに回転させる。同様に、歯車１５８、１６０は、球体１３６、１４４、１３８のうちのいずれか１つが使用者によりＸ軸のまわりに回転されると、これらの３つの球体をＸ軸のまわりに回転させる。
【００１７】
図１１および図１２を参照して、１つの球体１３６の構造をより詳細に説明する。他の球体のすべては、構造が同じである。球体１３６は、６つの連動部品：すなわち、上方、下方の左側および右側の四分体１１８、１２０、１２２、１２４と、前端部および後端部１２６、１２８とを有している。６つの連動部品は、以下に述べられる幾つかの同じ特徴を備えている。図における混乱を回避するために、これらの同じ特徴は、その特徴が見えるたった１つの部分に明示される。
【００１８】
各連動部品は、球体が完全に組み立てられると（図１１参照）、球状の表面の一部を構成するように成形されている凸面１１９を有している。デッキ１２１が、この面１１９に対向している。テーパ状の肩部１２３が、面１１９からデッキ１２１への変化部をなしている。本発明によれば、これらの面の各々は、好ましくは、これに示された異なる色または模様を有している。異なる色または模様は、部品全体を通って延びることができ、或いは各面にのみ付けられることもできる。
【００１９】
４つの四分体１１８、１２０、１２２、１２４の各々は、間隔を隔てられ、デッキ１２１の縁部に位置決めされていて、内方に延びている１対のブレード１３７、１３９を有している。各四分体のこれらのブレードは、４つの四分体１１８、１２０、１２２、１２４すべてが組み付けられると、これらのブレードが嵌り合うように配向されている。ブレード１３５、１３７の各々は、それぞれ、デッキ１２１に対して遠位側のブレードの端部の近くに横方向の穴１4１、１４３を有している。また、各四分体は、ブレードの外側の１対の三角形のブリッジ１４５、１４７を有している。各ブリッジ１４５、１４７は、渦部１５３、１５５まで延びている。四分体１１８、１２０、１２２、１２４すべての渦部は、これらの四分体１１８、１２０、１２２、１２４が組付けられると、単一の軸線に沿って合流する。ブリッジ１４５、１４７、各々、夫々の横方向の穴１４９、１５１を有している。各四分体用のブレード穴は、時計方向に隣接している夫々の対の四分体のブリッジの穴と整合して円筒形の係止チャンネルを形成している。例えば、係止チャンネル１６５（図１０参照）は、左側の四分体１２２および下方の四分体１２０が組み付けられると、左側の四分体１２２のブレードにおける穴と、下方の四分体１２０のブレードにおける穴とにより形成される。
【００２０】
前端部および後端部１２６、１２８は、各々、デッキ１２１と直交して内方に延びている４つの一様に間隔を隔てられたピン１５７、１５９、１６１、１６３を有している。これらのピン１５７、１５９、１６１、１６３の各々は、好ましくは、組立てを助けるために、デッキ１２１に対して遠位側の端部のところで面取りされている。これらのピン１５７、１５９、１６１、１６３は、好ましくは、前端部１２６のピンが後端部１２８のピンに合流するように、夫々の係止チャンネルを通って約途中まで延びるように寸法決めされている。
【００２１】
球体１３６の組立ては、まず、四分体１１８、１２０、１２２、１２４を組付け、次いで前端部および後端部１２６、１２８のピンを挿入して構造体を係止し合うことにより達成される。これらのピンは、摩擦嵌めをもたらすが、好ましくは、使用中、部品の耐久性を高め、且つ部品の分離を防ぐために、（エポキシ樹脂およびアクリル樹脂のような）少量の接着剤が使用される。
【００２２】
図１１に示されるように、各球体は、隣接した球体が回転されると、Ｘ軸またはＹ軸のまわりの回転を強制するために隣接した歯車の歯と共同作用する同一平面上の穴の３つの列１６４、１６６、１６８を有している。穴の各列は、他の２つの列と直交している。これらの列１６４、１６６、１６８は、２つの列の交差部に位置決めされている中心穴１７０を備えている。穴の残りは、フィールド穴１７２である。球体自身に関して、１つの中心穴１７０および１つのフィールド穴１７２を以下に詳細に説明する。他の中心穴のすべては、中心穴１７０と同じであり、他のフィールド穴のすべてはフィールド穴１７２と同じである。
【００２３】
各中心穴１７０は、僅かに凹形の形状を有していて、壁部１７６まで鋭くテーパ状になっている。この壁部１７６は、底部１７８までより緩やかにテーパ状になっている。テーパ状のリップ１７４および壁部１７６は、球体１３６が回転中に浮上して整合から外れれば、歯車の歯１９０（図１０参照）を中心穴１７０の中へ案内するのを助ける。いずれかの回転方向における歯車の歯１９０との係合を容易にするために、中心穴１７０のリップ１７４および壁部１７６は対称である。
【００２４】
同様に、フィールド穴１７２は、より緩やかなテーパ状の壁部１８２まで鋭くテーパ状になっていて、底部１８４で終わっているフレア状リップ１８０を有している。しかしながら、中心穴１７０と異なって、フィールド穴１７２は、対称ではない、その代わり、壁部１８２は、フィールド穴１７２が歯車により係合されると、（歯車の歯のための大きな目標を生じために）球体の回転方向に僅かに細長くなり、リップ１８０は、（球体が整合から外れている場合、球体を案内して整合させるために）反対方向に細長くなっている。
【００２５】
なお、本発明から逸脱することなしに、パズル１０の球体を形成するのに、多くの別の内部構造体を使用することができる。例えば、各球体は、６つの面の各々のための着色挿入体を有する一体のボディを備えることができる。
【００２６】
図１０は、ケース１１の内部構造および２つの球体１３６、１５０と歯車１５４との間の関係を示している。歯車１５４は、２つの球体１３６、１５０における穴に係合する複数の同一平面上の歯１９０を有している。各歯車歯１９０は、歯車１５４から外方に延びるにつれてテーパ状になっており、球体穴との確実な機械的係合を容易にするために横断面が円形である。歯車１５４は、好ましくは、軸１９２により適所に保持されていて、ケース１１２の上方および下方の突出部分１９４、１９６により保護されている。
【００２７】
前述の２つのパズル１０、１１０の別の構造は、まだ展開されていないが、当業者の技術範囲内である。
【００２８】
本発明の広い発明性概念から逸脱することなしに、本発明の前述実施の形態に対して変形例を行なうことができることは、当業者には認められるであろう。従って、本発明は、前述の特定の実施の形態に限定されず、本発明の精神および範囲内であるすべての変更例を網羅しようとするものである。
【図面の簡単な説明】
【００２９】
【図１】本発明によるパズルの好適な実施の形態の頂面図である。
【図２】ボールを取外した図１に示されるパズルの頂面図である。
【図３】図２に鎖線で示される領域の拡大頂面図である。
【図４】図１に鎖線で示される領域の拡大正面図である。
【図５】パズル要素の面が符号付きであるパズルの概略図である。
【図６】パズル要素の面が符号付きであるパズルの概略図である。
【図７】パズル要素の面が符号付きであるパズルの概略図である。
【図８】パズル要素の面が符号付きであるパズルの概略図である。
【図９】本発明の第２の好適な実施の形態の斜視図である。
【図１０】図９の線１０−１０に沿った横断面図である。
【図１１】組立て状態で示される本発明の第２の実施の形態の球体のうちの１つの斜視図である。
【図１２】図１１に示される球体の分解斜視図である。
【図１】
2006514556.tif 000003
【図２】
2006514556.tif 000004
【図３】
2006514556.tif 000005
【図４】
2006514556.tif 000006
【図５】
2006514556.tif 000007
【図６】
2006514556.tif 000008
【図７】
2006514556.tif 000009
【図８】
2006514556.tif 000010
【図９】
2006514556.tif 000011
【図１０】
2006514556.tif 000012
【図１１】
2006514556.tif 000013
【図１２】
2006514556.tif 000014
【国際調査報告】
2006514556.tif 000015